(57)【特許請求の範囲】
【請求項１】
第１紙幣が収納される第１収納部と、前記第１紙幣より額面金額の大きい第２紙幣が収納される第２収納部と、少なくとも前記第２紙幣が収納された第３収納部とを備える現金処理装置であって、
前記第１収納部に収納された前記第１紙幣と前記第３収納部に収納された前記第２紙幣との双方の両替を行い、前記両替された第１紙幣を前記第３収納部に収納し、前記両替された第２紙幣を前記第２収納部に収納することを特徴とする現金処理装置。
【請求項２】
さらに、紙幣を留置する紙幣留置部と、
前記第１収納部に収納された前記第１紙幣を前記紙幣留置部に搬送する第１搬送部と、
前記第３収納部に収納された紙幣群を前記紙幣留置部に搬送する第２搬送部と、
前記両替を行うときに、前記紙幣留置部から紙幣を取得して、前記第１搬送部が搬送した前記第１紙幣を前記第３収納部に収納させ、前記第２搬送部が搬送した紙幣群のうち、前記第３収納部に収納させた第１紙幣と両替可能な枚数の第２紙幣を、前記第２収納部に収納させる配送部と
を備えることを特徴とする請求項１に記載された現金処理装置。
【請求項３】
前記第１収納部に収納された前記第１紙幣の枚数が所定数を超えたことを検知する検知部をさらに備え、
前記第１搬送部は、前記検知部が検知したことを契機に動作する
ことを特徴とする請求項２に記載された現金処理装置。
【請求項４】
前記配送部は、前記紙幣留置部から取得した紙幣の種類を鑑別し、枚数を計数する紙幣鑑別部をさらに備え、
金額データを記憶する金額記憶部と、
前記紙幣鑑別部が鑑別した紙幣の種類に基づく金額データを取得して、入金総額データを前記金額記憶部に記憶させる入金計算制御部と、
前記金額記憶部に予め記憶された境界金額データの金額を、前記金額記憶部に記憶された前記入金総額データの金額が超えたとき、前記配送部を制御して、以後前記紙幣留置部に留置された紙幣を前記第３収納部に収納させる売上判定制御部と、
を備えることを特徴とする請求項２または請求項３に記載された現金処理装置。
【請求項５】
ユーザにより投入された紙幣を格納する格納部と、
前記第３収納部に収納された紙幣を前記格納部に搬送する第３搬送部とをさらに備え、
前記第２搬送部は、前記第３搬送部が搬送して前記格納部に格納された紙幣群を、前記紙幣留置部に搬送することを特徴とする請求項４に記載された現金処理装置。
【請求項６】
偽造紙幣を収納するリジェクト収納部と
をさらに備え、
前記配送部は、前記紙幣鑑別部が偽造紙幣であると鑑別した紙幣を、前記リジェクト収納部に収納させる
ことを特徴とする請求項４または請求項５に記載された現金処理装置。
【請求項７】
前記入金総額データの金額から前記境界金額データの金額を差分した金額が売上金額であり、前記第３収納部には、前記売上金額分の紙幣が収納されることを特徴とする請求項４ないし請求項６のいずれか１項に記載された現金処理装置。
【請求項８】
前記第１紙幣及び前記第２紙幣は、日本銀行券であり、
前記第１紙幣は、千円券であり、前記第２紙幣は、一万円券であり、
前記配送部は、前記第１搬送部が前記紙幣留置部に搬送した千円券のうち、１０×Ｎ（Ｎは自然数）枚の前記千円券を前記第３収納部に収納させ、前記第２搬送部が前記紙幣留置部に搬送した紙幣群のうち、Ｎ枚（Ｎは自然数）の前記一万円券を前記第２収納部に収納させる
ことを特徴とする請求項２ないし請求項７のいずれか１項に記載された現金処理装置。
【発明の詳細な説明】
【技術分野】
【０００１】
本発明は、店舗に設置され、入金された紙幣および硬貨を収納して、売上金と、釣銭準備金とに分けて出金する現金処理装置に関し、特に、スーパーマーケットや、ショッピングセンタ、パチンコ店などの商業施設に設置される現金処理装置に関する。
【背景技術】
【０００２】
従来、現金処理装置は、以下に示す「釣銭出金取引」、「売上入金取引」、「精算集計取引」、「回収取引」などの取引機能を有している。
＜釣銭出金取引＞
現金処理装置は、釣銭出金取引を行うことにより、リサイクルカセット（釣銭収納部）に収納された釣銭準備金を出金する。
＜売上入金取引＞
現金処理装置は、売上入金取引を行うことにより、入金された現金を釣銭準備金としてリサイクルカセットに収納する。
この売上入金取引時に現金処理装置に入金される現金は、レジに残った現金（紙幣および硬貨）、つまり売上金と残った釣銭とを含む現金である。現金処理装置は、この入金された現金の総額（入金総額）から、釣銭として出金した総額（出金総額）を差分することで、売上金の総額（売上額）を算出することができる。
＜精算集計取引＞
現金処理装置は、精算集計取引を行うことにより、出金総額分の現金を釣銭準備金としてリサイクルカセット（釣銭収納部）に収納したままにし、この出金総額を超える分の現金を売上金としてリサイクルカセットから搬送して、売上回収カセット（売上収納部）に収納する。
現金処理装置は、この精算集計取引時、リサイクルカセットから高額紙幣（一万円券）を優先して搬送して、売上回収カセット（売上収納部）に収納する。
＜回収取引＞
現金処理装置は、回収取引を行うことにより、リサイクルカセットおよび売上回収カセットを封止している現金処理装置の扉が開錠される。これによって、店長などの回収者が売上回収カセットに収納された売上金を回収することができる。現金処理装置は、回収者によって空の売上回収カセットがセットされたところで取引終了となる。
その後、回収者は回収した現金を金融機関などに売上金として入金する。
【先行技術文献】
【特許文献】
【０００３】
【特許文献１】特開２００５−３８０６２号公報
【特許文献２】特開２００７−３２３２２８号公報
【発明の概要】
【発明が解決しようとする課題】
【０００４】
しかしながら、通常、現金処理装置には、千円券（第１紙幣）が入金されることが多く、リサイクルカセット（千円券収納部）の容量を超える千円券が入金される場合があった。これにより、千円券が入金できなくなるため、回収者が現金処理装置の扉を開錠して、リサイクルカセット（千円券収納部（第１収納部））から千円券を取り出す作業を行わなければならなかった。
【０００５】
本発明は、以上のような問題を解決するためになされたものであり、第１収納部の容量を超えて第１紙幣が収納されることを回避することができる現金処理装置を提供することを課題とする。
【課題を解決するための手段】
【０００６】
前記課題を解決するために、本発明の現金処理装置は、第１紙幣（千円券）が収納される第１収納部（千円券収納部）と、前記第１紙幣より額面金額の大きい第２紙幣（一万円券）が収納される第２収納部（一万円券収納部）と、少なくとも前記第２紙幣が収納された第３収納部（売上収納部）とを備える現金処理装置であって、前記第１収納部に収納された前記第１紙幣と前記第３収納部に収納された前記第２紙幣との双方の両替を行い、前記両替された第１紙幣を前記第３収納部に収納し、前記両替された第２紙幣を前記第２収納部に収納することを特徴とする構成とした。なお、（ ）内の文字、記号は例示である。
【発明の効果】
【０００７】
本発明によれば、第１収納部に収納された第１紙幣を、第３収納部に収納された第２紙幣と両替することができるため、第１収納部の容量を超えて第１紙幣が収納されることを回避することができる。これにより、回収者が現金処理装置の扉を開錠して、リサイクルカセットから千円券を取り出す作業を行う頻度を低減することができ、作業効率が向上する。
【図面の簡単な説明】
【０００８】
【図１】第１の実施形態に係る紙幣入出金部を含む現金処理装置のブロック図である。
【図２】現金処理装置が備える硬貨入出金部のブロック図である。
【図３】第１の実施形態に係る紙幣入出金部のブロック図である。
【図４】表示部６に表示されるメニュー画面である。
【図５】第１の実施形態に係る紙幣入出金部が行う売上入金処理動作および売上金額算出処理動作のフローチャートである。
【図６】第１の実施形態に係る紙幣入出金部が行う両替処理動作のフローチャートである。
【図７】第１の実施形態に係る紙幣入出金部が行う両替処理動作による現金の移動を図示したものである（１／６）。
【図８】図７に続く第１の実施形態に係る紙幣入出金部が行う両替処理動作による現金の移動を図示したものである（２／６）。
【図９】図８に続く第１の実施形態に係る紙幣入出金部が行う両替処理動作による現金の移動を図示したものである（３／６）。
【図１０】図９に続く第１の実施形態に係る紙幣入出金部が行う両替処理動作による現金の移動を図示したものである（４／６）。
【図１１】図１０に続く第１の実施形態に係る紙幣入出金部が行う両替処理動作による現金の移動を図示したものである（５／６）。
【図１２】図１１に続く第１の実施形態に係る紙幣入出金部が行う両替処理動作による現金の移動を図示したものである（６／６）。
【図１３】第２の実施形態に係る紙幣入出金部のブロック図である。
【発明を実施するための形態】
【０００９】
以下、図面を参照して、本発明の実施の形態（以下、「本実施形態」と称する）につき詳細に説明する。なお、各図は、本発明について概略的に示してあるに過ぎない。よって、本発明は、図示例のみに限定されるものではない。また、各図において、共通する構成要素や同様な構成要素については、同一の符号を付し、それらの重複する説明を省略する。
【００１０】
《第１の実施形態》
図１に示すように、第１の実施形態に係る現金処理装置１０は、制御部１と、記憶部２と、紙幣入出金部３と、硬貨入出金部４と、カードリーダ部５と、表示部６と、入力部７とを備える。
【００１１】
まず、制御部１および記憶部２について、簡単に説明する。
＜制御部１＞
制御部１は、現金処理装置１０の各部を制御する処理部であり、例えば、ＣＰＵ（Central Processing Unit）や一時的にデータを記憶するバッファを備える。
第１の実施形態において、制御部１は、入力部７に入力されたユーザからの入力（指示）に応じて、記憶部２からデータやプログラムを取得して処理を実行する。ここで、ユーザは、店長などの回収者および店員などである。
＜記憶部２＞
記憶部２は、制御部１が現金処理装置１０の各部を制御するために必要なデータやプログラムを記憶する記憶部であり、例えば、ＲＯＭ（Read Only Memory）、ＲＡＭ（Random Access Memory）、ＨＤＤ（Hard Disc Drive）などを備える。
【００１２】
なお、プログラムは、ＲＡＭやＨＤＤに格納されて、ネットワークを介して更新することができる。また、硬貨入出金部４やカードリーダ部５、表示部６、入力部７は、一般的な現金処理装置に備えられているものであるため、以下で、各構成部の構成と動作については、簡単に説明する。なお、紙幣入出金部３についての詳細な説明は、後記する。
【００１３】
＜硬貨入出金部４＞
硬貨入出金部４は、硬貨の入出金を取り扱う構成部である。
図２に、硬貨入出金部４の構成をブロック図で示す。
硬貨入出金部４は、硬貨格納部４１と、硬貨留置部４２と、硬貨鑑別部４３と、返却硬貨格納部４４と、出金ホッパ部４５（釣銭収納部）と、硬貨売上収納部４６と、釣銭硬貨格納部４７と、搬送路４８とを備えている。図２に示す矢印は、搬送路４８と搬送方向を示している。搬送路４８は、制御部１に制御されて、ベルト駆動で硬貨を１枚ずつ搬送するものであり、モータで駆動する駆動ローラや駆動ローラに従動する従動ローラを含む。制御部１は、記憶部２に記憶されたデータやプログラムを用いて、硬貨入出金部４の動作を制御する。
【００１４】
（硬貨格納部４１）
硬貨格納部４１は、不図示の硬貨投入口からユーザが投入した硬貨を格納する構成部である。例えば、ユーザにより入力部７から「入金終了」の指示が入力されることで、制御部１は、硬貨投入口の蓋を閉められる。そして、硬貨格納部４１に格納された硬貨は、制御部１が制御する搬送路４８により、硬貨鑑別部４３を介して、硬貨留置部４２に搬送される。
（硬貨留置部４２）
硬貨留置部４２は、硬貨を一時的に留置する構成部である。
【００１５】
（硬貨鑑別部４３）
硬貨鑑別部４３は、硬貨留置部４２から制御部１が制御する搬送路４８により搬送された硬貨を取得して、硬貨の種類や真贋などを鑑別する構成部である。例えば、ユーザにより入力部７から「入金実行」の指示が入力されることで、制御部１は、硬貨鑑別部４３に対して、硬貨留置部４２から硬貨を搬送させ、その硬貨を鑑別させる制御を行う。
硬貨鑑別部４３は、硬貨が、例えば、日本国で流通している硬貨であれば、一円硬貨、五円硬貨、十円硬貨、五十円硬貨、百円硬貨、五百円硬貨の種類と、それらの硬貨が偽造硬貨であるか否かの真贋とを鑑別する。さらに、硬貨鑑別部４３は、硬貨の汚損（汚れている）や変形（曲がっていたり、欠けていたりすること）を鑑別してもよい。
鑑別後、硬貨鑑別部４３は、鑑別結果を制御部１に通知し、硬貨が「（偽造硬貨ではない）正貨」であれば、その正貨（硬貨）を搬送路４８に出金ホッパ部４５へ搬送させる。一方、硬貨が「（偽造硬貨である）偽貨」であれば、その偽貨（硬貨）を搬送路４８に返却硬貨格納部４４へ搬送させる。
また、硬貨鑑別部４３は、正貨（硬貨）を出金ホッパ部４５へ搬送させる際に、その硬貨の種類に基づく金額データを制御部１に出力する。これにより、制御部１は、記憶部２の入金総額データに、取得した金額データを加算して、入金総額データの総額を更新する。
また、ユーザにより入力部７から「入金取消」の指示が入力されることで、制御部１は、硬貨留置部４２に留置された硬貨を、搬送路４８を制御して、硬貨鑑別部４３を経由して返却硬貨格納部４４へ搬送させて格納させる制御を行う。
【００１６】
（返却硬貨格納部４４）
返却硬貨格納部４４は、ユーザに硬貨を返却するために、硬貨を格納する構成部であり、硬貨鑑別部４３により格納された硬貨をユーザが取り出せるようになっている。この返却硬貨格納部４４には、偽貨の硬貨または「入金取消」によりユーザに返却される硬貨が格納される。
（出金ホッパ部４５）
出金ホッパ部４５（釣銭収納部）は、釣銭準備金として硬貨を収納する構成部である。
また、出金ホッパ部４５は、制御部１により制御されて、内部に収納した硬貨を繰り出す機構を備えており、制御部１は搬送路４８を制御して、繰り出された硬貨を硬貨売上収納部４６または釣銭硬貨格納部４７に搬送させる。
【００１７】
例えば、ユーザにより入力部７から「精算集計」の指示が入力されることで、制御部１は、記憶部２に記憶された入金総額データおよび出金総額データ（境界金額データ）に基づいて、入金総額から出金総額を差分した売上金額を算出する。それから、制御部１は、出金ホッパ部４５を制御して、出金ホッパ部４５の内部に収納された硬貨の中から売上金額分に相当する種類および枚数の硬貨を繰り出させ、次に、制御部１は、搬送路４８を制御して、繰り出された硬貨を硬貨売上収納部４６に搬送するように制御を行う。
また、例えば、ユーザにより入力部７から「釣銭出金」の指示が入力されることで、制御部１は、出金ホッパ部４５を制御して、出金ホッパ部４５の内部に収納された硬貨の中から、指定された種類および枚数の硬貨を繰り出させ、次に、制御部１は、搬送路４８を制御して、繰り出された硬貨を釣銭硬貨格納部４７に搬送するように制御を行う。
【００１８】
（硬貨売上収納部４６）
硬貨売上収納部４６は、売上金として硬貨を収納する構成部である。この硬貨売上収納部４６に収納された硬貨は、回収者などが現金処理装置１０の扉を開錠することで回収が可能である。
（釣銭硬貨格納部４７）
釣銭硬貨格納部４７は、釣銭として硬貨を格納する構成部であり、格納された硬貨をユーザが取り出せるようになっている。
【００１９】
再び、図１を用いて、カードリーダ部５、表示部６および入力部７の説明をする。
＜カードリーダ部５＞
カードリーダ部５は、カードに埋め込まれたデータを抽出するカード読取機である。例えば、接触／非接触のＩＣ（Integrated Circuit）カードを読み取って、そのカードに埋め込まれたデータを抽出する。
そして、制御部１は、記憶部２に予め記憶されたユーザ情報と、カードから抽出したデータとに基づき、ユーザがこの現金処理装置１０を利用可能であるか否かの認証処理を行う。この認証処理は、一般的な処理であるため、説明を省略する。
【００２０】
＜表示部６、入力部７＞
表示部６は、ユーザが視認可能な情報を表示する構成部であり、例えば、ＬＣＤ（Liquid Crystal Display）やモニタ、ディスプレイなどである。
入力部７は、ユーザからの要求を受け付ける構成部であり、例えば、キーボードやマウスなどである。
ここで、例えば、表示部６および入力部７は、ＬＣＤのような表示機能とタッチパッドのような位置入力機能との双方を兼ね備えたタッチパネルであってもよい。
【００２１】
＜紙幣入出金部３＞
紙幣入出金部３は、紙幣の入出金を取り扱う構成部である。
図３に、紙幣入出金部３の構成をブロック図で示す。
紙幣入出金部３は、釣札収納部３１（千円券収納部３１１（第１収納部）、五千円券収納部３１２、一万円券収納部３１３（第２収納部））と、紙幣売上収納部３２（第３収納部）と、リジェクト収納部３３と、紙幣格納部３４と、紙幣留置部３５と、紙幣鑑別部３６（配送部）と、搬送路３７とを備えている。図３に示す矢印は、搬送路３７と搬送方向を示している。搬送路３７は、制御部１に制御されて、ローラやベルト駆動で紙幣を１枚ずつ搬送するものであり、モータで駆動する駆動ローラや駆動ローラに従動する従動ローラを含む。制御部１は、記憶部２に記憶されたデータやプログラムを用いて、紙幣入出金部３の動作を制御する。
【００２２】
（釣札収納部３１）
釣札収納部３１は、釣札準備金として紙幣を収納する構成部である。本実施形態における釣札収納部３１は、日本国で流通している紙幣を種類別で収納し、千円券が収納される千円券収納部３１１（第１収納部）と、五千円券が収納される五千円券収納部３１２と、一万円券が収納される一万円券収納部３１３（第２収納部）とを備える。
（紙幣売上収納部３２）
紙幣売上収納部３２（第３収納部）は、売上金として紙幣を収納する構成部である。
【００２３】
（リジェクト収納部３３）
リジェクト収納部３３は、後記する紙幣鑑別部３６により、汚損（汚れている）や破壊（破れていること）などにより再使用不能と鑑別された紙幣や、場合によっては、偽札（偽造された紙幣）と鑑別された紙幣を収納する構成部である。
以上の、釣札収納部３１、紙幣売上収納部３２、リジェクト収納部３３に収納された紙幣は、回収者などが現金処理装置１０の扉を開錠することで回収が可能である。
【００２４】
（紙幣格納部３４）
紙幣格納部３４は、紙幣を格納する構成部である。また、紙幣格納部３４は、制御部１により制御されて、内部に格納した紙幣を繰り出す機構を備えている。
紙幣格納部３４は、例えば、不図示の紙幣入出金口からユーザが投入した紙幣を格納する。そのあと、ユーザにより入力部７から「入金終了」の指示が入力されることで、紙幣格納部３４は、紙幣入出金口の蓋を閉める。紙幣格納部３４に格納された紙幣は、制御部１が制御する搬送路３７により、紙幣鑑別部３６を経由して、紙幣留置部３５に搬送される。
また、紙幣格納部３４は、紙幣売上収納部３２から搬送された紙幣を格納し、制御部１からの指示に基づき、内部に格納した紙幣を繰り出す。繰り出しされた紙幣は、制御部１が制御する搬送路３７により、紙幣鑑別部３６を経由して、紙幣留置部３５に搬送される。
（紙幣留置部３５）
紙幣留置部３５は、紙幣を一時的に留置する構成部であり、入金計数時および売上金作成時に一時的に紙幣を集積する場所である。
【００２５】
（紙幣鑑別部３６）
紙幣鑑別部３６（配送部）は、紙幣留置部３５から搬送された紙幣の種類や真贋などを鑑別する構成部である。また、紙幣鑑別部３６は、鑑別結果および制御部１による売上算出処理の結果に基づき、鑑別後の紙幣の搬送先（釣札収納部３１、紙幣売上収納部３２、リジェクト収納部３３）を制御部１に通知する。この通知を受けて制御部１は、鑑別後の紙幣を搬送先（釣札収納部３１、紙幣売上収納部３２、リジェクト収納部３３）に搬送するように、搬送路３７を制御する。
【００２６】
例えば、ユーザにより入力部７から「入金実行」の指示が入力されることで、制御部１は、紙幣留置部３５に留置された紙幣を紙幣鑑別部３６に搬送するように、搬送路３７を制御する。
紙幣鑑別部３６は、紙幣が、例えば、日本国で流通している紙幣であれば、千円券、五千円券、一万円券の種類と、それらの紙幣の真贋（紙幣が偽造紙幣であるか否か）、紙幣の汚損や破壊（再使用不能な紙幣であるか否か）などを鑑別する。
【００２７】
鑑別後、紙幣が「偽造紙幣やリジェクト紙幣（再使用不能な紙幣）」であれば、紙幣鑑別部３６は、その偽造紙幣やリジェクト紙幣の搬送先を「リジェクト収納部３３」に決定する。
一方、紙幣が「正券紙幣（再使用可能な紙幣）」であれば、紙幣鑑別部３６は、その正券紙幣の搬送先を「紙幣売上収納部３２」または「釣札収納部３１」に決定する。この正券紙幣の搬送先は、後記する制御部１による売上金額算出処理により決定する。そして、搬送先が決定した紙幣の種類に基づく金額データおよびその紙幣の搬送先を制御部１に出力する。
【００２８】
ここで、制御部１が行う売上金額算出処理について簡単に説明する。
（売上金額算出処理）
まず、制御部１は、記憶部２から、入金総額データおよび出金総額データを取得して、入金総額から出金総額を差分した売上金額を算出し、売上金が生じているか否かを判定する。
ここで、『売上金額≧０円』であれば（売上金額達成）、制御部１は、紙幣鑑別部３６を制御して、正券紙幣の配送先を「紙幣売上収納部３２」に決定させる。
一方、『売上金額＜０円』であれば（売上金額未達成）、制御部１は、紙幣鑑別部３６を制御して、正券紙幣の配送先を「釣札収納部３１」に決定させる。このとき、紙幣の種類が、千円券であれば、配送先を「千円券収納部３１１」とし、五千円券であれば、配送先を「五千円券収納部３１２」とし、一万円券であれば、配送先を「一万円券収納部３１３」とする。
そして、制御部１は、紙幣鑑別部３６に正券紙幣の送出先を「釣札収納部３１」または「紙幣売上収納部３２」に決定させた後で、紙幣鑑別部３６が出力した「金額データおよびその紙幣の搬送先」を取得する。制御部１は、取得した金額データを、記憶部２の入金総額データに加算して、入金総額データの総額を更新する。さらに、釣札収納部３１に収納した千円券、五千円券、一万円券それぞれの枚数を、記憶部２の収納枚数データに加算して、収納枚数データの総枚数を更新する。
【００２９】
また、紙幣鑑別部３６は、千円券収納部３１１から搬送路３７により紙幣が搬送されたとき、その搬送された紙幣の鑑別および枚数のカウントを行い、１０×Ｎ枚の千円券の搬送先を「紙幣留置部３５」に決定して制御部１に出力する。これにより、制御部１は搬送路３７を制御して、１０×Ｎ枚の千円券を紙幣留置部３５に搬送する。その後、制御部１は搬送路３７を制御して、それら１０×Ｎ枚の千円券を、紙幣鑑別部３６を経由して、紙幣売上収納部３２に搬送する。
また、紙幣鑑別部３６は、紙幣留置部３５から搬送路３７により紙幣が搬送されたとき、その搬送された紙幣の鑑別および枚数のカウントを行い、Ｎ枚の一万円券の搬送先を「一万円券収納部３１３」に決定して制御部１に出力する。このとき、Ｎ枚の一万円券の搬送先が決定するまでに、紙幣鑑別部３６に搬送されたその他の券種の紙幣は、搬送先を「紙幣売上収納部３２」に決定して制御部１に出力する。これにより、制御部１は搬送路３７を制御して、Ｎ枚の一万円券を一万円券収納部３１３に搬送する。一方、Ｎ＋１枚目以降の一万円券およびその他の券種の紙幣は、紙幣売上収納部３２に搬送する。
【００３０】
（制御部１と搬送路３７）
制御部１は、搬送路３７の駆動ローラを制御して、紙幣を搬送させる機能を有する構成部である（第１搬送部、第２搬送部、第３搬送部）。
この制御部１により制御された搬送路３７（第１搬送部）は、千円券収納部３１１（第１収納部）から紙幣鑑別部３６を経由して紙幣留置部３５に紙幣を搬送する。
また、制御部１により制御された搬送路３７（第２搬送部）は、紙幣格納部３４から紙幣鑑別部３６を経由して紙幣留置部３５に紙幣を搬送する。
さらに、制御部１により制御された搬送路３７（第３搬送部）は、紙幣売上収納部３２（第３収納部）から紙幣格納部３４に紙幣を搬送する。
【００３１】
ここで、制御部１が現金処理装置１０の各部の動作を制御して実行させる処理について説明する。第１の実施形態において、制御部１は、入力部７に入力されたユーザからの入力（指示）に応じて処理を実行する。ここでは、『ユーザ認証処理』、『釣銭出金処理』、『売上入金処理』、『精算集計処理』、『両替処理』、『売上回収処理』について説明する。
【００３２】
＜ユーザ認証処理＞
『ユーザ認証処理』は、一般的な現金処理装置でも行われる処理であるため、簡単に説明する。まず、ユーザが現金処理装置１０に事前に認証登録したレジカードやＩＣカードなどをカードリーダ部５（図１）に読み取らせる。これにより、制御部１は『ユーザ認証処理』を実行する。制御部１は、カードリーダ部５が読み取ったユーザＩＤ（IDentification）などが、記憶部２に予め記憶されたデータと一致するか否かの認証を行う。認証された場合に、制御部１は表示部６に図４に図示するメニュー画面を表示する。メニュー画面には、「釣銭出金」、「売上入金」、「精算集計」、「売上回収」が選択可能に表示される。
【００３３】
＜釣銭出金処理＞
『釣銭出金処理』は、一般的な現金処理装置でも行われる処理であるため、簡単に説明する。メニュー画面（図４）にてユーザにより「釣銭出金」が選択（入力）されることで、記憶部２に予め記憶された「金種および枚数を登録済みのパターンで出金する」または「金種および枚数をそれぞれ指定したパターンで出金する」が選択可能な画面が表示される。その後、ユーザの操作（指示）にしたがい、制御部１は現金処理装置１０の各部の動作を制御して、指定された枚数の紙幣を釣札収納部３１から搬送して、紙幣格納部３４（図３）に格納する。また、指定された枚数の硬貨を出金ホッパ部４５（図２）から釣銭硬貨格納部４７（図２）に格納する。これにより、ユーザは、紙幣格納部３４から釣札（紙幣）を、釣銭硬貨格納部４７から釣銭（硬貨）を取り出すことができる。
【００３４】
＜売上回収処理＞
『売上回収処理』は、一般的な現金処理装置でも行われる処理であるため、簡単に説明する。メニュー画面（図４）にて回収者により「売上回収」が選択（入力）されることで、紙幣売上収納部３２（図３）および硬貨売上収納部４６（図２）に収納された紙幣および硬貨が取り出せるように、制御部１は現金処理装置１０の各部の動作を制御する。これにより、例えば、現金処理装置１０に取り付けられた扉が開錠されて、店長などの回収者は、紙幣売上収納部３２および硬貨売上収納部４６に収納された紙幣および硬貨を回収することができる。その後、回収者は、回収した紙幣および硬貨を売上金として銀行や郵便局などの金融機関に入金する。
【００３５】
＜売上入金処理＞
『売上入金処理』が実行されることにより、ユーザが現金処理装置１０に紙幣や硬貨を入金することで、硬貨は出金ホッパ部４５（図２）に収納され、紙幣は、売上未達成であれば釣札収納部３１（図３）に収納され、一方、売上達成であれば紙幣売上収納部３２に収納される。
この『売上入金処理』は、一部の処理（売上金額算出処理）以外は、一般的な現金処理装置でも行われる処理であるため、簡単に説明する。まず、メニュー画面（図４）にてユーザにより「売上入金」が選択（入力）されることで、制御部１は現金処理装置１０の各部の動作を制御して、紙幣格納部３４（図３）の紙幣入出金口の蓋（不図示）および硬貨格納部４１（図２）の硬貨入金口の蓋（不図示）を開放し、さらに表示部６（図１）に入金誘導画面を表示させて、ユーザが紙幣および硬貨を入金するように促す。
【００３６】
（硬貨の売上入金処理）
まず、硬貨の売上入金処理について説明する（適宜、図３を参照）。
ユーザにより入金誘導画面で「入金終了」が選択（入力）されることで、硬貨格納部４１は硬貨入金口の蓋を閉め、格納された硬貨は硬貨鑑別部４３を介して硬貨留置部４２に一旦搬送される。硬貨鑑別部４３は、硬貨留置部４２から一枚ずつ硬貨が搬送され、その硬貨の鑑別を行う。鑑別後の硬貨が正貨であれば出金ホッパ部４５に搬送される。このとき、硬貨鑑別部４３は、搬送させた硬貨（正貨）の種類に基づく金額データを制御部１に出力する。これにより、制御部１は、記憶部２の入金総額データに、取得した金額データを加算して、入金総額データの総額を更新する。そして、硬貨の売上入金処理を終了する。
【００３７】
（紙幣の売上入金処理）
次に、紙幣の売上入金処理について、図５のフローチャートを用いて説明する（適宜、図３を参照）。図５は、第１の実施形態に係る紙幣入出金部が行う売上入金処理動作および売上金額算出処理動作のフローチャートである。
店長などの回収者により入金誘導画面で「入金終了」が選択（入力）される（ステップＳ１０１）ことで、紙幣格納部３４は紙幣入出金口の蓋を閉め、格納された紙幣を紙幣鑑別部３６を介して紙幣留置部３５へと搬送路３７に搬送させる（ステップＳ１０２）。
ここで、制御部１は、記憶部２から、入金総額データおよび出金総額データを取得して、入金総額から出金総額を差分した売上金額を算出する（ステップＳ１０３）。
次に、紙幣鑑別部３６は、紙幣留置部３５から紙幣を取得して（ステップＳ１０４）、その紙幣の鑑別を行う（ステップＳ１０５）。以下では、紙幣が正券紙幣であった場合の処理について説明する。ここで、紙幣が偽造紙幣やリジェクト紙幣であった場合は、リジェクト収納部３３へと搬送路３７に搬送させることとなるが、ここでは処理の説明を省略する。
【００３８】
（売上金額算出処理）
まず、制御部１は、記憶部２から、入金総額データおよび出金総額データを取得して、入金総額から出金総額を差分した売上金額を算出し、売上金が生じているか否かを判定する（売上金額≧０円？）（ステップＳ１０６）。
ここで、『売上金額≧０円』であれば（売上金額達成）（ステップＳ１０６，Ｙｅｓ）、紙幣鑑別部３６は、正券紙幣の搬送先を「紙幣売上収納部３２」とすることを制御部１に通知して、正券紙幣を紙幣売上収納部３２へと搬送路３７に搬送させ、その正券紙幣を紙幣売上収納部３２に収納する（ステップＳ１０７）。このとき、制御部１は、紙幣売上収納部３２に収納した紙幣の種類に基づく金額データを把握する。
【００３９】
一方、『売上金額＜０円』であれば（売上金額未達成）（ステップＳ１０６，Ｎｏ）、紙幣鑑別部３６は、正券紙幣の搬送先を「釣札収納部３１」とすることを制御部１に通知して、制御部１は、正券紙幣を釣札収納部３１へと搬送路３７に搬送させ、その正券紙幣を釣札収納部３１に収納する（ステップＳ１０８）。このとき、紙幣の種類が、千円券であれば、千円券収納部３１１に収納し、五千円券であれば、五千円券収納部３１２に収納し、一万円券であれば、一万円券収納部３１３に収納する。また、このとき、制御部１は、釣札収納部３１に収納した紙幣の種類に基づく金額データを把握する。
【００４０】
そして、正券紙幣が釣札収納部３１または紙幣売上収納部３２に収納された後（ステップＳ１０７またはステップＳ１０８の後）で、制御部１は、その紙幣の種類に基づく金額データおよび収納場所データを把握する。これにより、制御部１は売上金額算出処理を実行する（ステップＳ１０９）。
制御部１は、紙幣鑑別部３６から取得した金額データを、記憶部２の入金総額データに加算して、入金総額データの総額を更新する（ステップＳ１１０）。さらに、紙幣売上収納部３２に収納した各券種の枚数データ（千円券、五千円券、一万円券それぞれの枚数データ）と、釣札収納部３１に収納した各券種の枚数データ（千円券、五千円券、一万円券それぞれの枚数データ）とを、記憶部２の収納枚数データに加算して、収納枚数データの総枚数を更新する（ステップＳ１１１）。これにより、千円券収納部３１１に収納された千円券の収納枚数を示す釣札千券収納枚数データと、紙幣売上収納部３２に収納された一万円券の収納枚数を示す売上万券収納枚数データとが記憶部２に記憶される。そして、制御部１は、売上金額算出処理を終了する。
【００４１】
その後、紙幣鑑別部３６は、紙幣留置部３５に紙幣が残っているか否かを判定し（ステップＳ１１２）、残っていれば（ステップＳ１１２，Ｙｅｓ）、ステップＳ１０４に戻り、その紙幣を取得して、その紙幣の鑑別を行う。一方、残っていなければ（ステップＳ１１２，Ｎｏ）、紙幣の売上入金処理を終了する。
【００４２】
＜精算集計処理＞
『精算集計処理』が実行されることにより、紙幣売上収納部３２（図３）および硬貨売上収納部４６（図２）に売上金額分に相当する紙幣および硬貨が収納されて、売上金が確定する。
この『精算集計処理』は、一部の処理（両替処理）以外は、一般的な現金処理装置でも行われる処理であるため、簡単に説明する（適宜、図１ないし図３を参照）。
【００４３】
この『精算集計処理』は、前記した『売上回収処理』を行う前に実行される処理であり、これにより売上金が確定するとともに、後記する『両替処理』が実行されることにより、釣札収納部３１に収納された千円券と、紙幣売上収納部３２に収納された一万円券とを両替することができる。
【００４４】
まず、メニュー画面（図４）にてユーザにより「精算集計」が選択（入力）されることで、制御部１は現金処理装置１０の各部の動作を制御して、『精算集計処理』を実行する。
制御部１は、記憶部２に記憶された入金総額データおよび出金総額データから入金総額および出金総額を取得し、入金総額から出金総額を差分した売上金額を算出する。さらに制御部１は、記憶部２に記憶された収納枚数データから、紙幣売上収納部３２に収納された紙幣の総額を算出する。そして、売上金額と、紙幣売上収納部３２に収納された紙幣の総額とを差分し、売上額に足りない分（差額分）の紙幣の券種別の枚数および硬貨の種類別の枚数を算出する。次に、算出した枚数分の紙幣を釣札収納部３１から、紙幣留置部３５、紙幣鑑別部３６を介して、紙幣売上収納部３２へと搬送路３７に搬送させる。さらに、算出した枚数分の硬貨を出金ホッパ部４５から、硬貨売上収納部４６へと搬送路３７に搬送させる。これにより、紙幣売上収納部３２および硬貨売上収納部４６に収納された紙幣および硬貨の合計額が売上金額と同額となり、売上金が確定する。これにより、精算集計処理が終了する。この後で、『両替処理』が行われる。
【００４５】
＜両替処理＞
図６は、第１の実施形態に係る紙幣入出金部が行う両替処理動作のフローチャートであり、図７ないし図１２は、第１の実施形態に係る紙幣入出金部が行う両替処理動作による現金の移動を図示したものである（適宜、図３を参照）。
この『両替処理』が実行されることにより、釣札収納部３１に収納された千円券と、紙幣売上収納部３２に収納された一万円券とを両替することができる。
【００４６】
まず、売上金額が確定し、『精算集計処理』が終了したところで、制御部１は現金処理装置１０の各部の動作を制御して、『両替処理』を実行する。ここでは、一万円券と千円券とを交換（両替）する説明をする。このとき、交換（両替）する一万円券の数をＮ枚とし、千円券の数を１０×Ｎ枚とする。
制御部１は、記憶部２に記憶された釣札千券収納枚数データを取得する（ステップＳ２０１，図６）。制御部１は、その釣札千券収納枚数データに基づいて、千円券収納部３１１に所定の枚数（例えば、１０×Ｎ枚）の千円券が収納されているか否かを判定する（ステップＳ２０２，図６）。
ここで、１０×Ｎ枚の千円券が収納されていなければ（ステップＳ２０２，Ｎｏ）、両替処理を終了する。
【００４７】
一方、１０×Ｎ枚の千円券が収納されていれば（ステップＳ２０２，Ｙｅｓ）、制御部１は、記憶部２に記憶された売上万券収納枚数データを取得する（ステップＳ２０３，図６）。制御部１は、その売上万券収納枚数データに基づいて、紙幣売上収納部３２にＮ枚の一万円券が収納されているか否かを判定する（ステップＳ２０４，図６）。
ここで、Ｎ枚の一万円券が収納されていなければ（ステップＳ２０４，Ｎｏ）、制御部１は両替処理を終了する。
一方、Ｎ枚の一万円券が収納されていれば（ステップＳ２０４，Ｙｅｓ）、制御部１は、次のステップＳ２０５を実行する。以下、制御部１は、搬送路３７の駆動ローラを制御している。
【００４８】
このとき、現金処理装置１０の内部に収納されている紙幣は、図７に示す初期状態の位置にあり、例えば、千円券収納部３１１には２４枚の千円券が収納され、五千円券収納部３１２には６枚の五千円券が収納され、一万円券収納部３１３には６枚の一万円券が収納されているものとする。また、紙幣売上収納部３２には、６枚の千円券、６枚の五千円券、１０枚の一万円券が収納されているものとする。
【００４９】
制御部１は搬送路３７を制御して、紙幣売上収納部３２に収納された紙幣を、紙幣格納部３４に搬送する（ステップＳ２０５，図６）。これにより、図８に示すように、紙幣格納部３４には、６枚の千円券、６枚の五千円券、１０枚の一万円券が格納される。
次に、制御部１は搬送路３７を制御して、千円券収納部３１１に収納された千円券を紙幣鑑別部３６に搬送する。紙幣鑑別部３６は、所定の枚数、ここでは１０×Ｎ枚の千円券を繰り出して、紙幣留置部３５へと搬送路３７に搬送させる（ステップＳ２０６，図６）。例えば、交換すべき一万円券の数を、Ｎ＝２として、２０枚の千円券が搬送される（図９）。
紙幣鑑別部３６は、紙幣留置部３５から紙幣（千円券）を１枚ずつ取得して、紙幣売上収納部３２へと搬送路３７に搬送させる（ステップＳ２０７，図６）。これにより、紙幣売上収納部３２には２０枚の千円券が収納される（図９）。
【００５０】
次に、制御部１に制御されて、搬送路３７は、紙幣格納部３４に格納された紙幣を、紙幣鑑別部３６を経由して紙幣留置部３５に搬送する（ステップＳ２０８，図６）。これにより、紙幣格納部３４に格納された紙幣が紙幣留置部３５に留置される（図１０）。その後、制御部１に制御されて、搬送路３７は、紙幣留置部３５から紙幣を１枚ずつ繰り出して、紙幣鑑別部３６へと搬送する。紙幣鑑別部３６は、搬送された紙幣の鑑別を行って、紙幣留置部３５から搬送された紙幣のうち、Ｎ枚の一万円券を一万円券収納部３１３へと搬送路３７に搬送させ、それ以外の紙幣を紙幣売上収納部３２へと搬送路３７に搬送させる（ステップＳ２０９，図６）。この例では、Ｎ＝２であるため、２枚の一万円券が搬送される（図１１）。これにより、紙幣売上収納部３２には、２６枚の千円券、６枚の五千円券、８枚の一万円券が収納される（図１２）。これで、紙幣入出金部３は、両替処理動作を終了する。
【００５１】
以上により、第１の実施形態に係る紙幣入出金部３によれば、売上金が確定するとともに、釣札収納部３１に収納された１０×Ｎ枚の千円券と、紙幣売上収納部３２に収納されたＮ枚の一万円券とを両替することができる。
【００５２】
《第２の実施形態》
図１３に、第２の実施形態に係る紙幣入出金部３Ａの構成をブロック図で示す。
第２の実施形態に係る紙幣入出金部３Ａは、第１の実施形態に係る紙幣入出金部３の構成に、千円券収納部３１１に検知部５１をさらに備え、検知部５１から出力される信号に基づき、制御部１Ａが搬送路３７を制御する構成となっている。
【００５３】
（検知部５１）
検知部５１は、千円券収納部３１１に設置され、千円券収納部３１１に収納された千円券の枚数が所定の条件に達したときに、制御部１Ａに信号を出力する構成部である。
例えば、収納された紙幣の厚さが所定値以上であることを検知する厚みセンサであったり、千円券収納部３１１の重量を測定する重量センサであってもよい。
【００５４】
（制御部１Ａ）
制御部１Ａは、第１の実施形態に係る制御部１と比較すると、検知部５１からの信号を受信して、『両替処理』（図６参照）を実行する点で相違している。これにより、第２の実施形態に係る紙幣入出金部３Ａは、釣札収納部３１に収納された千円券の枚数に応じて、自動的に、釣札収納部３１に収納された千円券と、紙幣売上収納部３２に収納された一万円券とを両替することができる。
【００５５】
以上の構成を備える第２の実施形態に係る紙幣入出金部３Ａを備える現金処理装置１０は、千円券収納部３１１の容量を超える紙幣が収納されることを回避することができる。
【００５６】
本発明は、前記した実施形態に限定されることなく、本発明の要旨を逸脱しない範囲で種々の変更や変形を行うことができる。
【００５７】
例えば、実施形態において、紙幣売上収納部３２に収納されたすべての紙幣を紙幣格納部３４に搬送することとしているが、すべてである必要はない。例えば、制御部１は、一万円券がＮ枚以上混入されていると想定される枚数の紙幣を、紙幣売上収納部３２から紙幣格納部３４に搬送するように搬送路３７を制御すればよい。あるいは、紙幣売上収納部３２から紙幣鑑別部３６を介して紙幣格納部３４に搬送するようにし、Ｎ枚の一万円券が紙幣売上収納部３２から繰り出されたことを紙幣鑑別部３６で計数し、その時点で搬送を止めるようにしてもよい。
【００５８】
第２の実施形態に係る紙幣入出金部３Ａは、千円券収納部３１１に検知部５１を設置して、千円券収納部３１１に収納された千円券の枚数の管理をしているが、記憶部２に記憶された収納枚数データを用いて千円券の枚数を管理してもよい。
【００５９】
また、実施形態において、メニュー画面（図４）にてユーザにより「精算集計」が選択（入力）されることで、制御部１は現金処理装置１０の各部の動作を制御して、『精算集計処理』を実行し、精算集計処理が終了した後で、『両替処理』が行われると説明している。しかし、両替処理の実行トリガーは必ずしも「精算集計」の指示である必要はない。例えば、制御部１（１Ａ）が前記したように記憶部２に記憶された収納枚数データを用いて千円券の枚数を管理している場合に、所定の枚数を超える千円券が千円券収納部３１１に収納されることにより、制御部１（１Ａ）は、ユーザにより入力部７から「精算集計」の指示が入力された時と同様に、現金処理装置１０の各部の動作を制御して、『両替処理』を実行させてもよい。
【００６０】
さらに、実施形態における『両替処理』では、一万円券と千円券との両替を行っているが、一万円券と五千円券との両替、五千円券と千円券との両替も可能である。
【符号の説明】
【００６１】
１      制御部（第１搬送部、第２搬送部、第３搬送部）
２      記憶部
３      紙幣入出金部
４      硬貨入出金部
５      カードリーダ部
６      表示部
７      入力部
１０    現金処理装置
３１    釣札収納部
３２    紙幣売上収納部（第３収納部）
３３    リジェクト収納部
３４    紙幣格納部
３５    紙幣留置部
３６    紙幣鑑別部（配送部）
３７    搬送部（第１搬送部、第２搬送部、第３搬送部）
４１    硬貨格納部
４２    硬貨留置部
４３    硬貨鑑別部
４４    返却硬貨格納部
４５    出金ホッパ部（釣銭収納部）
４６    硬貨売上収納部
４７    釣銭硬貨格納部
４８    搬送部
５１    検知部
３１１  千円券収納部（第１収納部）
３１２  五千円券収納部
３１３  一万円券収納部（第２収納部）
【図１】
0005640708.tif 000002
【図２】
0005640708.tif 000003
【図３】
0005640708.tif 000004
【図４】
0005640708.tif 000005
【図５】
0005640708.tif 000006
【図６】
0005640708.tif 000007
【図７】
0005640708.tif 000008
【図８】
0005640708.tif 000009
【図９】
0005640708.tif 000010
【図１０】
0005640708.tif 000011
【図１１】
0005640708.tif 000012
【図１２】
0005640708.tif 000013
【図１３】
0005640708.tif 000014